(57)【特許請求の範囲】
【請求項１】
観察者の頭部に装着して使用される頭部装着型ディスプレイ装置であって、
前記観察者が前方視する瞳孔に対面し前記瞳孔に対して前方の位置に配置され、第１の画像を表示する第１の表示部と、
前記瞳孔に対面し前記瞳孔に対して前記観察者の耳側斜め前方の位置に配置され、第２の画像を表示する第２の表示部と、
第１の表示部側レンズ面と第１の観察者側レンズ面とを有するとともに、前記瞳孔と前記第１の表示部との間の位置に配置され、前記第１の画像を前記瞳孔に投影する第１の接眼レンズと、
第２の表示部側レンズ面と第２の観察者側レンズ面とを有するとともに、前記瞳孔と前記第２の表示部との間の位置に配置され、前記第２の画像を前記瞳孔に投影する第２の接眼レンズと、を備え、
前記第２の接眼レンズが、前記第１の接眼レンズに隣接するとともに前記第１の接眼レンズよりも前記観察者の耳に近い位置に配置され、
前記第１の接眼レンズの光軸と前記第２の接眼レンズの光軸とが、３０度以上、８０度以下の範囲の角度で交差し、
前記第１の表示部と前記第１の接眼レンズとの間の、前記第１の接眼レンズの前記光軸に平行な方向の距離は増減可能であり、
前記第２の表示部と前記第２の接眼レンズとの間の、前記第２の接眼レンズの前記光軸に平行な方向の距離は増減可能であり、
前記第１の表示部と前記第１の接眼レンズとの間の前記距離の増加に伴って、前記第２の表示部と前記第２の接眼レンズとの間の前記距離が増加する、
頭部装着型ディスプレイ装置。
【請求項２】
前記第２の表示部と前記第２の接眼レンズの間の距離は、前記第１の表示部と前記第１の接眼レンズの間の距離と比べて短い、
請求項１に記載の頭部装着型ディスプレイ装置。
【請求項３】
前記第２の表示部と前記第２の接眼レンズの間の距離は、前記第１の表示部から遠さかるほど短くなる、
請求項１に記載の頭部装着型ディスプレイ装置。
【請求項４】
前記第２の接眼レンズの前記光軸は、前記第２の接眼レンズの輪郭形状の中心からずれている、
請求項１に記載の頭部装着型ディスプレイ装置。
【請求項５】
前記第１の接眼レンズの観察画角に対する前記第２の接眼レンズの観察画角の比が、０．９５より小さい、
請求項１に記載の頭部装着型ディスプレイ装置。
【請求項６】
前記第１の接眼レンズの後側焦点距離ｆに対する前記第１観察者側レンズ面の近軸曲率半径Ｒの比Ｒ／ｆが０より大きく、３．０より小さい、
請求項５に記載の頭部装着型ディスプレイ装置。
【請求項７】
前記第１の接眼レンズの観察画角が６０度以上、１２０度以下の範囲である、
請求項６に記載の頭部装着型ディスプレイ装置。
【請求項８】
前記第１の接眼レンズの前記光軸は、前記観察者の前方視する前記瞳孔の視線方向に延在する直線に対して平行である、
請求項２から７のいずれか一項に記載の頭部装着型ディスプレイ装置。
【請求項９】
前記第１の観察者側レンズ面の輪郭形状および前記第２の前記観察者側レンズ面の輪郭形状がそれぞれ、互いに接し合う接合形状部分を有し、
前記接合形状部分を介して前記第１の観察者側レンズ面と前記第２の観察者側レンズ面とが前記観察者の上下方向の視野全体または前記観察者の視野の中央部において水平方向に連続している、
請求項１に記載の頭部装着型ディスプレイ装置。
【請求項１０】
前記第１の表示部は、前記第１の表示部側レンズ面における前記第２の接眼レンズに隣接する端部に入射し、前記第１の観察者側レンズ面から前記観察者の前記瞳孔に向かって出射する第１の光線を出射し、
前記第２の表示部は、前記第２の表示部側レンズ面における前記第１の接眼レンズに隣接する端部に入射し、前記第２の観察者側レンズ面から前記観察者の前記瞳孔に向かって出射する第２の光線を出射し、
前記第１の接眼レンズは、前記観察者の前記瞳孔に向かって出射する前記第１の光線に沿うように、前記第１の接眼レンズの前記光軸に対して傾いた径方向端面を有し、
前記第２の接眼レンズは、前記観察者の前記瞳孔に向かって出射する前記第２の光線に沿うように、前記第２の接眼レンズの前記光軸に対して傾いた径方向端面を有する、
請求項９に記載の頭部装着型ディスプレイ装置。
【請求項１１】
観察者の頭部に装着して使用される頭部装着型ディスプレイ装置であって、
前記観察者が前方視する瞳孔に対面し前記瞳孔に対して前方の位置に配置され、第１の画像を表示する第１の表示部と、
前記瞳孔に対面し前記瞳孔に対して前記観察者の耳側斜め前方の位置に配置され、第２の画像を表示する第２の表示部と、
第１の表示部側レンズ面と第１の観察者側レンズ面とを有するとともに、前記瞳孔と前記第１の表示部との間の位置に配置され、前記第１の画像を前記瞳孔に投影する第１の接眼レンズと、
第２の表示部側レンズ面と第２の観察者側レンズ面とを有するとともに、前記瞳孔と前記第２の表示部との間の位置に配置され、前記第２の画像を前記瞳孔に投影する第２の接眼レンズと、を備え、
前記第２の接眼レンズが、前記第１の接眼レンズに隣接するとともに前記第１の接眼レンズよりも前記観察者の耳に近い位置に配置され、
前記第１の接眼レンズの光軸と前記第２の接眼レンズの光軸とが、３０度以上、８０度以下の範囲の角度で交差し、
前記第１の表示部と前記第１の接眼レンズとの間の、前記第１の接眼レンズの前記光軸に平行な方向の距離は増減可能であり、
前記第２の表示部と前記第２の接眼レンズとの間の、前記第１の接眼レンズの前記光軸に平行な方向の距離は増減可能であり、
前記第１の表示部と前記第１の接眼レンズとの間の前記距離の増加に伴って、前記第２の表示部と前記第２の接眼レンズとの間の前記距離が増加する、
頭部装着型ディスプレイ装置。
【請求項１２】
前記第１の表示部と前記第１の接眼レンズとの間の前記距離の増加に伴って、前記第２の表示部に表示されている前記第２の画像の表示位置が前記第１の表示部に対して前記観察者の耳に近づくように水平方向に移動する、
請求項１１に記載の頭部装着型ディスプレイ装置。
【請求項１３】
観察者の頭部に装着して使用される頭部装着型ディスプレイ装置であって、
前記観察者が前方視する瞳孔に対面し前記瞳孔に対して前方の位置に配置され、第１の画像を表示する第１の表示部と、
前記瞳孔に対面し前記瞳孔に対して前記観察者の耳側斜め前方の位置に配置され、第２の画像を表示する第２の表示部と、
第１の表示部側レンズ面と第１の観察者側レンズ面とを有するとともに、前記瞳孔と前記第１の表示部との間の位置に配置され、前記第１の画像を前記瞳孔に投影する第１の接眼レンズと、
第２の表示部側レンズ面と第２の観察者側レンズ面とを有するとともに、前記瞳孔と前記第２の表示部との間の位置に配置され、前記第２の画像を前記瞳孔に投影する第２の接眼レンズと、を備え、
前記第２の接眼レンズが、前記第１の接眼レンズに隣接するとともに前記第１の接眼レンズよりも前記観察者の耳に近い位置に配置され、
前記第１の接眼レンズの光軸と前記第２の接眼レンズの光軸とが、３０度以上、８０度以下の範囲の角度で交差し、
前記第１の表示部と前記第１の接眼レンズとの間の、前記第１の接眼レンズの前記光軸に平行な方向の距離は増減可能であり、
前記第２の表示部と前記第２の接眼レンズとの間の距離は、前記第１の接眼レンズに近い位置ほど大きく増減可能であり、
前記第１の表示部と前記第１の接眼レンズとの間の前記距離の増加に伴って、前記第２の表示部と前記第２の接眼レンズとの間の前記距離が増加する、
頭部装着型ディスプレイ装置。
【請求項１４】
前記第１の表示部と前記第１の接眼レンズとの間の前記距離の増加に伴って、前記第２の表示部に表示されている前記第２の画像の表示位置が前記第１の表示部に近づくように水平方向に移動する、
請求項１３に記載の頭部装着型ディスプレイ装置。
【発明の詳細な説明】
【技術分野】
【０００１】
本開示は、頭部装着型ディスプレイ装置に関する。
【背景技術】
【０００２】
近年、画像を表示するディスプレイ装置は、観察者が体験する立体感や臨場感を向上させるために、大型化している。【０００３】
立体感や臨場感などの広視野効果を観察者がより得るためには、観察者の視野における水平１００度（左側および右側それぞれが５０度）の領域全体におよぶ表示画面をディスプレイ装置が有する必要がある（１００度近傍で、広視の効果は飽和する）。しかし、この場合、ディスプレイ装置は、観察者の２ｍ前方に配置される２００インチ以上の表示画面を有する必要がある。【０００４】
このような大型の据え置き型のディスプレイ装置に代わって、例えば特許文献１に記載するように、観察者の頭部に装着されて使用される頭部装着型ディスプレイ装置が知られている。【０００５】
特許文献１に記載の頭部装着型ディスプレイ装置は、液晶表示パネル（表示部）と、接眼レンズとを有する。表示部は、観察者の頭部に装着するとその観察者の眼球の瞳孔の前方に配置される。接眼レンズは、液晶表示パネルと観察者の眼球との間に配置され、液晶表示パネルに表示された画像を瞳孔に拡大投影する。
【先行技術文献】
【特許文献】
【０００６】
【特許文献１】特開平７−７２４２０号公報
【発明の概要】
【０００７】
本開示は、頭部装着型ディスプレイ装置において、さらなる臨場感を観察者に提供する。
【０００８】
本開示の一態様による頭部装着型ディスプレイ装置は、観察者の頭部に装着して使用される。この頭部装着型ディスプレイ装置は、第１の表示部と、第２の表示部と、第１の接眼レンズと、第２の接眼レンズとを有する。第１の表示部は、観察者が前方視する瞳孔に対面し、観察者の瞳孔に対して前方の位置に配置され、第１の画像を表示する。第２の表示部は、観察者が前方視する瞳孔に対面し、観察者の瞳孔に対して観察者の耳側斜め前方の位置に配置され、第２の画像を表示する。第１の接眼レンズは、観察者の瞳孔と第１の表示部との間の位置に配置されて、第１の画像を観察者の瞳孔に投影する。第１の接眼レンズは、第１の表示部側レンズ面と第１の観察者側レンズ面とを有する。第２の接眼レンズは、観察者の瞳孔と第２の表示部との間の位置に配置されて、第２の画像を観察者の瞳孔に投影する。第２の接眼レンズは、第２の表示部側レンズ面と第２の観察者側レンズ面とを有する。また第２の接眼レンズは、第１の接眼レンズよりも観察者の耳に近い位置で第１の接眼レンズに隣接配置されている。第１の接眼レンズの光軸は、第２の接眼レンズの光軸と、３０度以上、８０度以下の範囲の角度で交差している。また、第１の表示部と第１の接眼レンズとの間の、第１の接眼レンズの光軸に平行な方向の距離は増減可能であり、第２の表示部と第２の接眼レンズとの間の、第２の接眼レンズの光軸に平行な方向の距離は増減可能であり、第１の表示部と第１の接眼レンズとの間の距離の増加に伴って、第２の表示部と第２の接眼レンズとの間の前記距離が増加する。
【０００９】
本開示によれば、頭部装着型ディスプレイ装置において、さらなる臨場感を観察者に提供することができる。
【図面の簡単な説明】
【００１０】
【図１】図１は、第１の実施の形態に係る、観察者の頭部に装着された状態の頭部装着型ディスプレイ装置の概略構成図である。
【図２】図２は、観察者の視線が前方に向いた状態における、頭部装着型ディスプレイ装置の左眼用の光学系を示す図である。
【図３】図３は、観察者の視線が斜め前方に向いた状態における、頭部装着型ディスプレイ装置の左眼用の光学系を示す図である。
【図４】図４は、ディスプレイの概略斜視図である。
【図５】図５は、人間の視野を説明するための図である。
【図６】図６は、人間の視覚に関する情報識別能力を示す図である。
【図７】図７は、観察者側から見た頭部装着型ディスプレイを概略的に示す図である。
【図８Ａ】図８Ａは、第１の接眼レンズの側面図である。
【図８Ｂ】図８Ｂは、図８Ａに示す第１の接眼レンズの平面図である。
【図９Ａ】図９Ａは、第２の接眼レンズの側面図である。
【図９Ｂ】図９Ｂは、図９Ａに示す第２の接眼レンズの平面図である。
【図１０】図１０は、第１の実施の形態の第１の接眼レンズの切断面と第２の接眼レンズの切断面とを示す概略図である。
【図１１】図１１は、比較例の第１の接眼レンズの切断面と第２の接眼レンズの切断面とを示す概略図である。
【図１２】図１２は、比較例のフレネルレンズを示す図である。
【図１３】図１３は、第１の実施の形態に係る第２の接眼レンズを示す図である。
【図１４】図１４は、ディスプレイと接眼レンズとの間の距離を説明するための図である。
【図１５】図１５は、頭部装着型ディスプレイ装置の画像処理ユニットの構成を示す図である。
【図１６】図１６は、３６０度パノラマ画像を示す図である。
【図１７】図１７は、２１０度の範囲の領域を示す図である。
【図１８】図１８は、ディスプレイに表示する第１および第２の画像の抽出を説明するための図である。
【図１９Ａ】図１９Ａは、比較例の第１および第２の画像の見え方を示す図である。
【図１９Ｂ】図１９Ｂは、比較例の第１および第２の画像の見え方を示す図である。
【図１９Ｃ】図１９Ｃは、比較例の第１および第２の画像の見え方を示す図である。
【図２０Ａ】図２０Ａは、第１の実施の形態に係る第１および第２の画像の見え方を示す図である。
【図２０Ｂ】図２０Ｂは、第１の実施の形態に係る第１および第２の画像の見え方を示す図である。
【図２０Ｃ】図２０Ｃは、第１の実施の形態に係る第１および第２の画像の見え方を示す図である。
【図２１】図２１は、第１および第２の画像のサイズ補正を説明するための図である。
【図２２】図２２は、第１および第２の画像の歪曲収差補正の一例を説明するための図である。
【図２３】図２３は、観察者に見える画像を示す図である。
【図２４】図２４は、一実施例に係る、第１の接眼レンズと第２の接眼レンズを示す図である。
【図２５】図２５は、別の実施例に係る、第１の接眼レンズと第２の接眼レンズを示す図である。
【図２６】図２６は、さらに別の実施例に係る、第１の接眼レンズと第２の接眼レンズを示す図である。
【図２７】図２７は、第２の実施の形態に係る頭部装着型ディスプレイ装置におけるレンズアレイの概略図である。
【図２８】図２８は、第３の実施の形態に係る頭部装着型ディスプレイ装置の概略構成図である。
【図２９】図２９は、第３の実施の形態に係る頭部装着型ディスプレイ装置の他の形態の概略構成図である。
【図３０】図３０は、第３の実施の形態に係る頭部装着型ディスプレイ装置のさらに他の形態の概略構成図である。
【図３１】図３１は、第４の実施の形態に係る頭部装着型ディスプレイ装置の概略構成図である。
【発明を実施するための形態】
【００１１】
本開示の実施の形態の説明に先立ち、従来の装置における問題点を簡単に説明する。近年、頭部装着型ディスプレイ装置においては、さらなる臨場感の向上が求められている。しかし、このために表示部（例えば液晶表示パネル）や接眼レンズを大型化すると、頭部装着型ディスプレイ装置が大型化するとともに重量が増加する。その結果、頭部装着型ディスプレイ装置の使用感が低下する。
【００１２】
以下、適宜図面を参照しながら、大型化や重量増加を抑制しつつ、さらなる臨場感を観察者に提供する本開示の頭部装着型ディスプレイ装置の実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、以下の実施の形態は、当業者が本開示を十分に理解するために添付図面及び以下の説明を提供するものであって、これらによって請求の範囲に記載の主題を限定することを意図するものではない。
【００１４】
（第１の実施の形態）
図１は、第１の実施の形態に係る頭部装着型ディスプレイ装置の構成を概略的に示している。図１はまた、観察者の頭部に適切に装着された状態の頭部装着型ディスプレイ装置を示している。
【００１５】
なお、図面には、互いに直交し合うＸ軸、Ｙ軸、およびＺ軸からなるＸ−Ｙ−Ｚ座標系が示されている。Ｘ軸方向は観察者を基準とする水平面における前後方向とし、Ｙ軸方向は水平面における左右方向とし、Ｚ軸方向は水平面と直交する上下方向とする。このＸ−Ｙ−Ｚ座標系は、本開示を限定するものではなく、単に本開示の理解を助けるためだけのものである。したがって、図１は、前方視の観察者を上方から見た頭部装着型ディスプレイ装置（以下、ディスプレイ装置）１０を示している。
【００１６】
実施の形態に係るディスプレイ装置１０は、観察者の頭部に装着されるように、具体的には観察者の左右の眼球ｅ（Ｌ）、ｅ（Ｒ）を覆うように頭部に装着される。
【００１７】
ディスプレイ装置１０は、観察者の頭部に装着される本体部１２を有する。ディスプレイ装置１０は、本体部１２内に、それぞれ左眼用および右眼用のディスプレイ１４、１６と、それぞれ左眼用および右眼用の第１の接眼レンズ１８、２０と、それぞれ左眼用および右眼用の第２の接眼レンズ２２、２４とを有する。また、詳細は後述するが、左眼用の第１の接眼レンズ１８と第２の接眼レンズ２２とが組み合わさることによって左眼用のレンズアレイ２６が構成され、右眼用の第１の接眼レンズ２０と第２の接眼レンズ２４とが組み合わさることによって右眼用のレンズアレイ２８が構成されている。
【００１８】
なお、左眼用の光学系と右眼用の光学系は左右対称であることを除いて、実質的に同一である。すなわち、ディスプレイ１４、１６は実質的に同一であり、第１の接眼レンズ１８、２０が実質的に同一であり、そして第２の接眼レンズ２２、２４が実質的に同一である。第１の接眼レンズ１８はディスプレイ側レンズ面１８ａと観察者側レンズ面１８ｂとを有し、第１の接眼レンズ２０はディスプレイ側レンズ面２０ａと観察者側レンズ面２０ｂとを有する。第２の接眼レンズ２２はディスプレイ側レンズ面２２ａと観察者側レンズ面２２ｂとを有し、第２の接眼レンズ２４はディスプレイ側レンズ面２４ａと観察者側レンズ面２４ｂとを有する。ここからは左眼用の光学系を中心に説明し、右眼用の光学系については説明を省略する。
【００１９】
図２および図３は、ディスプレイ装置１０における左眼用の光学系を示している。図２は観察者が前方（Ｘ軸方向）を見ている状態を示し、図３は観察者が外側斜め前方（Ｘ軸方向に対して約１５度傾いた水平方向）を見ている状態を示している。
【００２０】
図２に示すように、観察者の眼球ｅ（Ｌ）の前方には、ディスプレイ１４と、左眼用のレンズアレイ２６（第１の接眼レンズ１８および第２の接眼レンズ２２）とが配置されている。
【００２１】
なお、このように、本明細書においては、ディスプレイ装置１０の構成要素それぞれの位置を観察者の眼球（またはその瞳孔）の位置を基準として説明することがある。このとき、構成要素の位置は、ディスプレイ装置１０が観察者の頭部に適切に装着されているときのその観察者の眼球の位置を基準としている。したがって、ディスプレイ装置１０は、観察者の頭部に適切に装着されるように、すなわち頭部に対して適切に位置決めされるように構成されている。例えば、ディスプレイ装置１０は、図１に示すように、観察者の鼻に係合するノーズパッド３０や耳に掛けられるイヤーパッド３２、３４を有する。
【００２２】
本実施の形態の場合、ディスプレイ１４は、図４に示すように、水平方向について（水平面（Ｘ−Ｙ平面）上において）湾曲した帯状の曲面液晶ディスプレイである。ディスプレイ１４は画像が表示される表示画面１４ａを有する。詳細は後述するが、表示画面１４ａには、第１の接眼レンズ１８に投影される第１の画像を表示する第１の表示領域（第１の表示部）１４ｂと、第２の接眼レンズ２２に投影される第２の画像を表示する第２の表示領域（第２の表示部）１４ｃとが含まれている。それにより、表示画面１４ａの異なる位置に、第１および第２の画像が表示される。なお、ディスプレイ１４は、可撓性を有するフレキシブル液晶ディスプレイであってもよい。また、液晶ディスプレイに限らず、ＯＬＥＤ（Ｏｒｇａｎｉｃ  Ｌｉｇｈｔ  Ｅｍｉｔｔｉｎｇ  Ｄｉｏｄｅ）ディスプレイであってもよい。
【００２３】
図２に示すように、ディスプレイ１４の第１の表示領域１４ｂは、観察者の前方視状態の眼球ｅ（Ｌ）の瞳孔ｐ（Ｌ）に向いた状態で瞳孔ｐ（Ｌ）の前方に配置されている。本実施の形態の場合、表示画面１４ａの第１の表示領域１４ｂは、前方視状態の眼球ｅ（Ｌ）の視線方向Ｓとほぼ直交するように配置されている。
【００２４】
一方、ディスプレイ１４の第２の表示領域１４ｃは、観察者の前方視状態の眼球ｅ（Ｌ）の瞳孔ｐ（Ｌ）に向いた状態で瞳孔ｐ（Ｌ）の水平方向の外側斜め前方に配置されている。本実施の形態の場合、第２の表示領域１４ｃは、観察者の前方視状態の眼球ｅ（Ｌ）の視線方向Ｓに対して水平約７０度外側（耳側）に傾いた方向とほぼ直交するように配置されている。
【００２５】
図２に示すように、左眼用のレンズアレイ２６の第１の接眼レンズ１８は、ディスプレイ１４の第１の表示領域１４ｂと観察者の眼球ｅ（Ｌ）の瞳孔ｐ（Ｌ）との間に配置されている。それにより、第１の接眼レンズ１８は、第１の表示領域１４ｂに表示された第１の画像を瞳孔ｐ（Ｌ）に拡大投影する。
【００２６】
本実施の形態の場合、第１の接眼レンズ１８はまた、第１の接眼レンズ１８の光軸Ｃ１が前方視状態の観察者の眼球ｅ（Ｌ）の視線方向Ｓと略平行に、具体的にはほぼ一致するように配置されている。すなわち、第１の接眼レンズ１８の光軸Ｃ１は、表示画面１４ａの第１の表示領域１４ｂに略直交している。なお、図２に図示されるディスプレイ１４は部分的に平面であるが、その限りではない。ディスプレイ１４はその全体が曲面形状を有していてもよい（詳細は後述）。
【００２７】
なお、本明細書において、レンズの「光軸」は、前側レンズ面（ディスプレイ側レンズ面）に直交するように入射した平行光がレンズを透過して後側レンズ面（観察者側レンズ面）側で結ぶ焦点（後側焦点）と、後側レンズ面に直交するように入射した平行光がレンズを透過して前側レンズ面側で結ぶ焦点（前側焦点）とを結んだ直線に一致する軸を言う。
【００２８】
一方、左眼用のレンズアレイ２６の第２の接眼レンズ２２は、ディスプレイ１４の第２の表示領域１４ｃと観察者の眼球ｅ（Ｌ）の瞳孔ｐ（Ｌ）との間に配置されている。それにより、第２の接眼レンズ２２は、第２の表示領域１４ｃに表示された第２の画像を瞳孔ｐ（Ｌ）に拡大投影する。
【００２９】
第２の接眼レンズ２２はまた、第２の接眼レンズ２２の光軸Ｃ２が、第１の接眼レンズ１８の光軸Ｃ１に対して外側に傾くように、例えば約３０度以上、８０度以下の範囲の角度外側に傾くように配置されている。本実施の形態の場合、第１の接眼レンズ１８の光軸Ｃ１と第２の接眼レンズ２２の光軸Ｃ２との間の角度は約６０度である。また、理由は後述するが、第２の接眼レンズ２２の光軸Ｃ２は、表示画面１４ａの第２の表示領域１４ｃに直交していない。
【００３０】
本実施の形態の場合、左眼用の第１の接眼レンズ１８および第２の接眼レンズ２２の光軸Ｃ１、Ｃ２は、右眼用の第１の接眼レンズ２０および第２の接眼レンズ２４の光軸とともに、略同一平面（Ｘ−Ｙ平面）上に位置する。本実施の形態の場合、第１の接眼レンズ１８の光軸Ｃ１と第２の接眼レンズ２２の光軸Ｃ２は、眼球ｅ（Ｌ）の瞳孔ｐ（Ｌ）で交差する。
【００３１】
また、ディスプレイ１４の第１の表示領域１４ｂの両端は、観察者の瞳孔ｐ（Ｌ）から第１の接眼レンズ１８のディスプレイ側レンズ面１８ａの端部を通過する光線Ｌ１、Ｌ２に対して、第１の接眼レンズ１８の光軸Ｃ１の反対側に配置される。ディスプレイ１４の第２の表示領域１４ｃの両端は、観察者の瞳孔ｐ（Ｌ）から第２の接眼レンズ２２のディスプレイ側レンズ面２２ａの端部を通過する光線Ｌ３、Ｌ４に対して、第２の接眼レンズ２２の光軸Ｃ２の反対側に配置される。
【００３２】
さらに、ディスプレイ１４の第１の表示領域１４ｂの第２の表示領域１４ｃに近い端およびディスプレイ１４の第２の表示領域１４ｃの第１の表示領域１４ｂに近い端が、観察者の瞳孔ｐ（Ｌ）から第１の接眼レンズ１８の第２の接眼レンズ２２側の端部を通過する光路Ｌ２と瞳孔ｐ（Ｌ）から第２の接眼レンズ２２の第１の接眼レンズ１８側の端部を通過する光路Ｌ３との間の領域に配置される。
【００３３】
このような左眼用のレンズアレイ２６の第１の接眼レンズ１８および第２の接眼レンズ２２により、ディスプレイ１４の第１の表示領域１４ｂおよび第２の表示領域１４ｃそれぞれに表示された第１および第２の画像は、眼球ｅ（Ｌ）の網膜上に水平方向に連続した状態（連結した状態）で投影される。
【００３４】
なお、図２に示すように、ディスプレイ１４の第１の表示領域１４ｂから第１の接眼レンズ１８に向かう光が伝播する空間（第１の表示領域１４ｂと第１の接眼レンズ１８との間の光伝播空間）と、第２の表示領域１４ｃから第２の接眼レンズ２２に向かう光が伝播する空間（第２の表示領域１４ｃと第２の接眼レンズ２２との間の光伝播空間）は、互いに分離されている。具体的には、光遮蔽板３６によって分離されている。すなわち、光遮蔽板３６は、観察者の瞳孔ｐ（Ｌ）から第１の接眼レンズ１８の第２の接眼レンズ２２側の端部を通過する光路Ｌ２と瞳孔ｐ（Ｌ）から第２の接眼レンズ２２の第１の接眼レンズ１８側の端部を通過する光路Ｌ３との間の領域に配置されている。これにより、例えば第１の表示領域１４ｂから出射した光の一部が第２の接眼レンズ２２に入射することが抑制され、また第２の表示領域１４ｃから出射した光の一部が第１の接眼レンズ１８に入射することが抑制される。その結果、観察者は、第１の接眼レンズ１８を介して良好な第１の画像を見ることができるとともに、第２の接眼レンズ２２を介して良好な第２の画像を見ることができる。
【００３５】
左眼用のレンズアレイ２６（第１の接眼レンズ１８および第２の接眼レンズ２２）はまた、観察者、すなわち人間の視覚特性に基づいて設計されて使用されている。そのため、レンズアレイ２６の詳細な説明の前準備として、人間の視覚特性について説明する。
【００３６】
図５は、人間の両眼視野を示している。図５に示すように、人間の両眼視野は、水平方向については約２００度の領域（左側および右側それぞれが約１００度までの領域）であって、上下方向については約１２５度の領域（上側が約５０度までであって下側が約７５度までの領域）である。なお、水平方向における視野の境界付近の対象は、両眼でなく、単眼のみで視認される。すなわち、単眼の水平方向の視野に関しては、鼻側が約６０度までであって耳側（外側）が約１００度までである。
【００３７】
両眼視野は、人間の情報識別能力に基づいて、４つの領域に大別される。情報識別能力が高い側から順に、視野中央の弁別視野Ａ１と、弁別視野Ａ１周辺の有効視野Ａ２と、有効視野Ａ２周辺の誘導視野Ａ３と、誘導視野Ａ３周辺の補助視野Ａ４とに、視野は分けられる。
【００３８】
視野中央の弁別視野Ａ１は、上下左右それぞれが約５度までの領域であって、視力や色の弁別などの情報識別能力が最も優れた領域である。
【００３９】
弁別視野Ａ１周辺の有効視野Ａ２は、左側および右側それぞれが約１５度まで、上側が約８度まで、下側が約１２度までの領域であって、眼球運動だけで（頭部運動をすることなく）瞬時に呈示された対象を捉えることができる領域である。
【００４０】
有効視野Ａ２周辺の誘導視野Ａ３は、左側および右側それぞれが約５０度まで、上側が約３５度まで、下側が約５０度までの領域であって、呈示された対象の存在のみを判定することができ、人間の空間座標感覚に影響を与える、すなわち立体感や臨場感などの広視野効果を引き起こす領域である。
【００４１】
誘導視野Ａ３周辺であって最も外側の補助視野Ａ４は、呈示された対象への知覚が極度に低下し、強い刺激の存在がわかる程度の領域である。
【００４２】
また、図６は、人間の眼球に対して鼻側の複数の水平位置（角度位置）それぞれの解像度特性を示す図である。
【００４３】
図６に示すように、人間の視野の中心（０度）では、空間周波数が高く且つコントラストが低い縞模様でも視認できるが、中心から１．５度離れると視認可能な最大空間周波数が半減する。さらに中心から３０度離れると、最大空間周波数は約２０分の１まで減少する。
【００４４】
図５および図６に示す視覚特性を踏まえると、約３０度の領域（左側および右側それぞれが約１５度までの領域）である有効視野Ａ２内に比べて、その外側では、視認可能な画像の解像度（最大空間周波数）が低下することが分かる。したがって、約３０度を超える視野の領域に存在する対象を、観察者の眼球の網膜上に理想的に結像する必要性が低いことが分かる。
【００４５】
以上のような視覚特性を考慮して、左眼用のレンズアレイ２６（すなわち第１の接眼レンズ１８および第２の接眼レンズ２２）は以下のように構成されている。
【００４６】
まず、図２に示すように、左眼用のレンズアレイ２６（すなわち第１の接眼レンズ１８および第２の接眼レンズ２２）は、前方視状態の眼球ｅ（Ｌ）単独での１６０度の視野内（外側が約１００度までであって鼻側が約６０度までの領域）に配置されている。また、前方視状態の眼球ｅ（Ｌ）において、左眼用のレンズアレイ２６の観察画角θは、約１５０度である。そのうち、第１の接眼レンズ１８の観察画角θ１は約９０度であって、第２の接眼レンズ２２の観察画角θ２は約６０度である。
【００４７】
なお、本明細書において、「観察画角」は、レンズと瞳孔との間の距離（アイレリーフ）で決まる角度であって、レンズが画像を網膜上に結像することができる角度を言う。また、本明細書において、「結像」は、ディスプレイに表示された画像の形状と相似の形状の像が網膜上に形成されることを言う（すなわち、観察者がレンズを介して鮮明な画像を見ることができることを言う）。
【００４８】
また、レンズアレイ２６の第２の接眼レンズ２２は、本実施の形態の場合、前方視状態の眼球ｅ（Ｌ）の外側約１００度の視野の境界までおよぶように本体部１２に設けられている。本実施の形態の場合、第２の接眼レンズ２２の一部は、外側約１００度の視野の境界を越えて視野外に存在する。一方、図３に示すように、視線方向Ｓが外側に最大に傾いたときに（外側に約１５度傾いたときに）、第２の接眼レンズ２２は、その全体が視野内に存在する。
【００４９】
第１の接眼レンズ１８の観察画角θ１は、約６０度以上、約１２０度以下（外側および鼻側それぞれが約３０度以上、約６０度以下）の範囲であればよい。また、第１の接眼レンズ１８の観察画角θ１は、第２の接眼レンズ２２の観察画角θ２に対して大きい方が好ましい。例えば、第１の接眼レンズ１８の観察画角θ１に対する第２の接眼レンズ２２の比（θ２／θ１）は、０．９５より小さい方が好ましい。理由を説明すると、観察者は、ディスプレイ装置１０の使用中、ほとんど前方を見ている。したがって、第１の接眼レンズ１８は、情報識別能力が高い前方視状態の眼球ｅ（Ｌ）の弁別視野Ａ１および有効視野Ａ２内に少なくとも配置されるのが好ましい。これにより、第１の接眼レンズ１８を介して見える第１の表示領域１４ｂ上の第１の画像と第２の接眼レンズ２２を介して見える第２の表示領域１４ｃ上の第２の画像との間の境界が有効視野Ａ２より外側に配置され、観察者がその境界を視認しにくくなる（境界が有効視野Ａ２内に配置される場合に比べて）。観察画角θ１が約６０度の場合、第１の接眼レンズ１８は、水平方向において、弁別視野Ａ１、有効視野Ａ２、および誘導視野Ａ３の一部に配置される。また、１２０度の場合、第１の接眼レンズ１８は、水平方向において、弁別視野Ａ１、有効視野Ａ２、誘導視野Ａ３、および補助視野Ａ４の一部に配置される。
【００５０】
なお、図３に示すように、視線方向Ｓが水平方向に最大に傾いたときに（外側または鼻側に約１５度傾いたときに）、弁別視野Ａ１および有効視野Ａ２内に第１の接眼レンズ１８が存在するように、第１の接眼レンズ１８の観察画角θ１は約９０度以上であるのが好ましい。これにより、第１の接眼レンズ１８によって投影された第１の画像と第２の接眼レンズによって投影された第２の画像との境界が有効視野Ａ２外側の誘導視野Ａ３に存在する。それにより、第１の画像と第２の画像との間の境界が観察者に目立ちにくくなる（境界が有効視野Ａ２に存在する場合に比べて）。その結果、観察者は、水平方向に連続する第１の画像と第２の画像を１つの画像として違和感なく見ることができる。
【００５１】
また、第１の接眼レンズ１８の観察画角θ１を大きくするために、観察者側レンズ面１８ｂの近軸曲率半径Ｒと後側焦点距離ｆは、不等式０＜Ｒ／ｆ＜３．０を満足するのが好ましい。これにより、第１の接眼レンズ１８は、径方向（光軸直交方向）サイズを大きくすることなく、大きい観察画角θ１を得ることができる。すなわち、ディスプレイ装置１０を小型化することができる。
【００５２】
さらにまた、第１の接眼レンズ１８の観察者側レンズ面１８ｂと観察者の瞳孔ｐ（Ｌ）との間の距離（アイレリーフ）が、第２の接眼レンズ２２の観察者側レンズ面２２ｂと瞳孔ｐ（Ｌ）との間の距離（アイレリーフ）に比べて短いのが好ましい。これにより、第２の接眼レンズ２２の観察画角θ２に対して、第１の接眼レンズ１８の観察画角θ１を、第１の接眼レンズ１８の径方向サイズを大きくすることなく、拡大することができる。
【００５３】
加えて、図２では、第１の接眼レンズ１８の光軸Ｃ１と第２の接眼レンズ２２の光軸Ｃ２との交点が観察者の瞳孔ｐ（Ｌ）上に位置するように配置されているが、それに限定はされない。例えば、図３のように観察者の瞳孔ｐ（Ｌ）が水平方向に移動したときを考慮し、第２の接眼レンズ２２の光軸Ｃ２が、観察者の水平方向に移動した瞳孔ｐ（Ｌ）上を通過するように配置されてもよい。さらには、第１の接眼レンズ１８の光軸Ｃ１と第２の接眼レンズ２２の光軸Ｃ２とが、同一平面上に存在しないように配置することも可能である。
【００５４】
図７は、観察者側から見た（Ｘ軸方向視の）ディスプレイ装置１０を概略的に示している。具体的には、図７は、第１の接眼レンズ１８と第２の接眼レンズ２２との組み合わせからなる左眼用のレンズアレイ２６と、第１の接眼レンズ２０と第２の接眼レンズ２４との組み合わせからなる右眼用のレンズアレイ２８とを示している。また、図８Ａ、図８Ｂは第１の接眼レンズ１８を示し、図９Ａ、図９Ｂは第２の接眼レンズ２２を示している。
【００５５】
図７に示すように、第１の接眼レンズ１８の観察者側レンズ面１８ｂと第２の接眼レンズ２２の観察者側レンズ面２２ｂが、観察者から見てこの観察者の上下方向の視野全体または視野の中央部（例えば少なくとも上下方向の弁別視野Ａ１および有効視野Ａ２（約２０度：上側が約８度までであって下側が約１２度までの領域））において水平方向に連続するように、左眼用のレンズアレイ２６が構成されている（第１の接眼レンズ１８と第２の接眼レンズ２２とが配置されている）。
【００５６】
そのために、本実施の形態の場合、図８Ａ〜図９Ｂに示すように、第１の接眼レンズ１８と第２の接眼レンズ２２とが部分的に切断され（切断面を有し）、その切断面で第１の接眼レンズ１８と第２の接眼レンズ２２とが互いに接触する。図８Ｂおよび図９Ｂには、第１の接眼レンズ１８および第２の接眼レンズ２２を切断するための切断線ＣＬ１、ＣＬ２が示されている。ここで、便宜上切断と表現しているが、接眼レンズが実際に一部切り落とされて作製されている必要はなく、例えば回転非対称な金型を用いて成型され、結果として本実施の形態で開示しているような接眼レンズの形状を得ても良い。
【００５７】
具体的には、第１の接眼レンズ１８では、その上側部分、下側部分、左側部分（耳側部分）、および右側部分（鼻側部分）が切り落とされている。それにより、第１の接眼レンズ１８は、上側切断面１８ｅ、下側切断面１８ｆ、左側切断面（すなわち第２の接眼レンズ２２側の切断面）１８ｇ、および右側切断面１８ｈを有する。
【００５８】
一方、第２の接眼レンズ２２では、その上側部分、下側部分、および右側部分（鼻側部分）が切り落とされている。それにより、第２の接眼レンズ２２は、上側切断面２２ｄ、下側切断面２２ｅ、および右側切断面（すなわち第１の接眼レンズ１８側の切断面）２２ｆを有する。
【００５９】
なお、図９Ａ、図９Ｂに示すように、第２の接眼レンズ２２は、第１の接眼レンズ１８から遠い側である左側部分（耳側部分）が切り落とされていない。そのため、第１の接眼レンズ１８から遠い側である（右側切断面２２ｆに対して反対側の）第２の接眼レンズ２２の左側の径方向端面は曲面状である。すなわち、第２の接眼レンズ２２は、光軸Ｃ２方向視で概ね「Ｄ」字形状である。その結果として、第２の接眼レンズ２２において、上下方向の中央における水平方向（レンズ径方向）の幅Ｗ１が、上端および下端の水平方向の幅Ｗ２に比べて大きい。これにより、第２の接眼レンズ２２は部分的な切断によってコンパクトなサイズにされつつも、水平方向について広い観察画角を有することができる。
【００６０】
上述したように、第１の接眼レンズ１８と第２の接眼レンズ２２とを切断して互いに接触させることにより、第１の接眼レンズ１８の観察者側レンズ面１８ｂと第２の接眼レンズ２２の観察者側レンズ面２２ｂは、観察者から見てこの観察者の上下方向の視野全体または視野の中央部において水平方向に連続することができる。具体的には、第１の接眼レンズ１８の観察者側レンズ面１８ｂおよび第２の接眼レンズ２２の観察者側レンズ面２２ｂそれぞれの輪郭形状が、観察者側レンズ面１８ｂおよび観察者側レンズ面２２ｂが観察者の上下方向の視野全体または視野の中央部において水平方向に連続するように、互いに接し合う接合形状部分を有する。すなわち、第１の接眼レンズ１８の観察者側レンズ面１８ｂと左側切断面１８ｇとの間の辺と、第２の接眼レンズ２２の観察者側レンズ面２２ｂと右側切断面２２ｆとの間の辺とが接合形状部分として機能する。
【００６１】
その結果、視線方向Ｓが上下方向に変化しても、観察者は、第１の接眼レンズ１８を透過した第１の画像と第２の接眼レンズ２２を透過した第２の画像とを、水平方向に連続した状態で、すなわち１つの画像として違和感なく見ることができる。
【００６２】
なお、図８Ａ〜図９Ｂに示すように、第１の接眼レンズ１８および第２の接眼レンズ２２の上側部分および下側部分、すなわち観察者から見てこの観察者の上下方向の視野（本実施の形態の場合には、約９０度の視野）からはみ出た部分が、切り落とされている。これにより、第１の接眼レンズ１８および第２の接眼レンズ２２を軽量化および小型化することができる。その結果、ディスプレイ装置１０を軽量化および小型化することができる。
【００６３】
なお、本実施の形態の場合、第２の接眼レンズ２２に近い第１の接眼レンズ１８の切断面１８ｇ（第１の径方向端面）は、光軸Ｃ１に対して、平行ではなく、傾いている。同様に、第１の接眼レンズ１８に近い第２の接眼レンズ２２の右側切断面２２ｆ（第２の径方向端面）も、光軸Ｃ２に対して、平行ではなく、傾いている。その理由を、図１０および図１１を参照しながら説明する。
【００６４】
図１０は、本実施の形態の第１の接眼レンズ１８の切断面１８ｇと第２の接眼レンズ２２の右側切断面２２ｆとを示す概略図である。一方、図１１は、比較例の第１の接眼レンズ１８’の切断面１８ｇ’と第２の接眼レンズ２２’の切断面２２ｆ’とを示す概略図である。
【００６５】
まず、図１１に示すように、比較例において、第１の接眼レンズ１８’の切断面１８ｇ’は光軸Ｃ１に対して平行であり、第２の接眼レンズ２２’の切断面２２ｆ’は光軸Ｃ２に対して平行である。また、第１の接眼レンズ１８’の観察者側レンズ面１８ｂ’と第２の接眼レンズ２２’の観察者側レンズ面２２ｂ’は連続している。
【００６６】
図１１に示すように、第１の表示領域１４ｂから出射した光線Ｌ２は、第１の接眼レンズ１８’のディスプレイ側レンズ面１８ａ’における第２の接眼レンズ２２’側の端に入射する。しかし、光線Ｌ２は、屈折することによって観察者側レンズ面１８ｂ’における第２の接眼レンズ２２’側の端からは出射していない。すなわち、切断面１８ｇ’と光線Ｌ２との間に挟まれた第１の接眼レンズ１８’の部分を、第１の表示領域１４ｂからの光線は通過しない。
【００６７】
同様に、第２の表示領域１４ｃから出射した光線Ｌ３は、第２の接眼レンズ２２’のディスプレイ側レンズ面２２ａ’における第１の接眼レンズ１８’側の端に入射する。しかし、光線Ｌ３は、屈折することによって観察者側レンズ面２２ｂ’における第１の接眼レンズ１８’側の端からは出射していない。すなわち、切断面２２ｆ’と光線Ｌ３との間に挟まれた第２の接眼レンズ２２’の部分を、第２の表示領域１４ｃからの光線は通過しない。
【００６８】
このような光線が通過しない部分を削除したものとして、本実施の形態の第１の接眼レンズ１８と第２の接眼レンズ２２とが図１０に示されている。
【００６９】
図１０に示すように、第１の接眼レンズ１８の切断面１８ｇは、光線Ｌ２に沿うように光軸Ｃ１に対して傾いて設けられている。すなわち、切断面１８ｇは、光線Ｌ２に沿うように第１の接眼レンズ１８を切断することによって形成されている。それにより、光線Ｌ２は、第１の接眼レンズ１８のディスプレイ側レンズ面１８ａにおける第２の接眼レンズ２２側端に入射し、観察者側レンズ面１８ｂにおける第２の接眼レンズ２２側端から出射する。
【００７０】
同様に、第２の接眼レンズ２２の右側切断面２２ｆは光線Ｌ３に沿うように光軸Ｃ２に対して傾いて設けられている。すなわち、右側切断面２２ｆは、光線Ｌ３に沿うように第２の接眼レンズ２２を切断することによって形成されている。それにより、光線Ｌ３は、第２の接眼レンズ２２のディスプレイ側レンズ面２２ａにおける第１の接眼レンズ１８側端に入射し、観察者側レンズ面２２ｂにおける第１の接眼レンズ１８側端から出射する。
【００７１】
図１０に示すように、第２の接眼レンズ２２側の光線が通過しない第１の接眼レンズ１８の部分と第１の接眼レンズ１８側の光線が通過しない第２の接眼レンズ２２の部分とを削除する。それにより、削除しない場合に比べて（二点鎖線で示す比較例の第２の接眼レンズ２２’）に比べて、第２の接眼レンズ２２を観察者の眼球ｅ（Ｌ）側に接近させることができる。それにともない、第２の接眼レンズ２２に第２の画像を投影する第２の表示領域１４ｃも眼球ｅ（Ｌ）側に接近させることができる。また、第１の接眼レンズ１８と第２の接眼レンズ２２とが小型される（図１１に示す比較例に比べて）。これらの結果として、ディスプレイ装置１０が小型化される。
【００７２】
図８Ａ、図８Ｂに示すように、本実施の形態の場合、第１の接眼レンズ１８は、ディスプレイ側レンズ面１８ａに、少なくとも部分的にフレネルレンズ部を有する。本実施の形態の場合、第１の接眼レンズ１８は、ディスプレイ側レンズ面１８ａに、凸レンズ部１８ｃとフレネルレンズ部１８ｄとを有する。また、観察者側レンズ面１８ｂに、凸レンズ部を有する。
【００７３】
具体的には、ディスプレイ側レンズ面１８ａの中央に凸レンズ部１８ｃが配置され、凸レンズ部１８ｃの外側にフレネルレンズ部１８ｄが配置されている。また、凸レンズ部１８ｃの光軸とフレネルレンズ部１８ｄの光軸は、第１の接眼レンズ１８の光軸Ｃ１に一致する。すなわち、第１の接眼レンズ１８のディスプレイ側レンズ面１８ａは、光軸Ｃ１を中心とする回転対称形状である。
【００７４】
また、本実施の形態の場合、図２に示すように、第１の接眼レンズ１８の凸レンズ部１８ｃは、前方視状態の眼球ｅ（Ｌ）の弁別視野Ａ１および有効視野Ａ２内に存在する。例えば、凸レンズ部１８ｃの観察画角αは１００度以下である。したがって、凸レンズ部１８ｃの外側のフレネルレンズ部１８ｄは、有効視野Ａ２の外側の誘導視野Ａ３内に存在する。これは、弁別視野Ａ１や有効視野Ａ２内にフレネルレンズ部１８ｄが存在する場合、図８Ａに示すフレネルレンズ部１８ｄの複数の環状の稜線ＲＬと谷線ＶＬとが、環状縞として観察者に目立つ可能性があるからである。その結果、臨場感を損なう可能性がある。
【００７５】
このような第１の接眼レンズ１８によれば、ディスプレイ１４の第１の表示領域１４ｂに表示される第１の画像が、観察者の眼球ｅ（Ｌ）の瞳孔ｐ（Ｌ）に拡大投影される。また、フレネルレンズ部１８ｄを少なくとも部分的に有することにより、第１の接眼レンズ１８を薄くでき、それにより軽量化および小型化することができる。例えば、フレネルレンズ部１８ｄと光学的に等価の凸レンズ部Ｑ１を有する接眼レンズに比べて薄くでき、それにより軽量化および小型化することができる。
【００７６】
図９Ａ、図９Ｂに示すように、本実施の形態の場合、第２の接眼レンズ２２は、ディスプレイ側レンズ面２２ａ全体に、フレネルレンズ部を有する。また、観察者側レンズ面２２ｂに、凸レンズ部を有する。
【００７７】
本実施の形態の場合、第２の接眼レンズ２２の光軸Ｃ２は、図９Ａ、図９Ｂに示すように、その（切断前の）レンズ面（ディスプレイ側レンズ面２２ａ、観察者側レンズ面２２ｂ）の輪郭形状の中心からずれている。
【００７８】
これは、第２の接眼レンズ２２が切断されてディスプレイ装置１０に配置されたときに、光軸Ｃ２近傍の第２の接眼レンズ２２の部分を、情報識別能力が高い視野中央側（すなわち第１の接眼レンズ１８側）に配置するためである。光軸Ｃ２近傍の部分は、外周側部分に比べて収差が小さい。そのため、この収差が小さい光軸Ｃ２近傍部分を、第２の表示領域１４ｃに表示される第２の画像が観察者に違和感なく見えるように第１の接眼レンズ１８側に配置している。特に、本実施の形態の場合、第２の接眼レンズ２２の光軸Ｃ２は、観察者の眼光ｅ（Ｌ）の瞳孔ｐ（Ｌ）を通過するように、レンズ面の輪郭形状の中心からずれている。
【００７９】
また、本実施の形態の場合、第２の接眼レンズ２２のフレネルレンズ部２２ｇは、光軸Ｃ２を中心とする回転対称形状ではない。具体的に説明すると、図９Ａに示すように、フレネルレンズ部２２ｇの複数の環状の稜線ＲＬと谷線ＶＬの中心が第２の接眼レンズ２２の光軸Ｃ２と一致していない。また、稜線ＲＬと谷線ＶＬとの間のライズ面２２ｃが、光軸Ｃ２に対して平行ではなく、傾いている。
【００８０】
このように、第２の接眼レンズ２２のフレネルレンズ部２２ｇが、回転非対称の形状を有する理由について、図１２および図１３を参照しながら説明する。
【００８１】
図１２は、比較例のフレネルレンズ１２２を示している。なお、図１２に示す比較例のフレネルレンズ１２２は、光軸Ｃ２を中心とする回転対称形状であって、光軸Ｃ２と平行なライズ面１２２ｃを有する。図１３は、本実施の形態に係る第２の接眼レンズ２２を示している。
【００８２】
図１２に示すように、観察者が前方を見ているとき、比較例のフレネルレンズ１２２の光軸Ｃ２は、視線方向Ｓに対して傾いている。すなわち、観察者は、フレネルレンズ１２２の観察者側レンズ面１２２ｂを斜めに見ている。このとき、前方視状態の眼球ｅ（Ｌ）における誘導視野Ａ３において、フレネルレンズ１２２のライズ面１２２ｃが瞳孔ｐ（Ｌ）に向いている。具体的には、稜線ＲＬ、谷線ＶＬと瞳孔ｅ（Ｌ）とを結ぶ直線に対してライズ面１２２ｃが傾いている。それにより、環状の稜線ＲＬと谷線ＶＬとが互いに重ならずに眼球ｅ（Ｌ）の網膜上に高密度な環状縞として投影され、そのため、その高密度な環状縞に観察者は気づきやすい。
【００８３】
一方、図１３に示すように、本実施の形態の第２の接眼レンズ２２の場合、前方視状態の眼球ｅ（Ｌ）における誘導視野Ａ３の補助視野Ａ４側の領域において、フレネルレンズ部２２ｇのライズ面２２ｃは、ほとんど瞳孔ｐ（Ｌ）に向いていない。具体的には、稜線ＲＬ、谷線ＶＬと瞳孔ｅ（Ｌ）とを結ぶ直線に対してライズ面２２ｃがほぼ平行に重なる。すなわち、第１の接眼レンズ１８側の第２の接眼レンズ２２のフレネルレンズ部２２ｇにおけるライズ面２２ｃが前方視状態の瞳孔ｐ（Ｌ）に向かないように、ライズ面２２ｃが第２の接眼レンズ２２の光軸Ｃ２に対して傾いている（第２の接眼レンズ２２のフレネルレンズ部２２ｇが回転非対称の形状を有する）。それにより、環状の稜線ＲＬと谷線ＶＬとが重なって眼球ｅ（Ｌ）の網膜上に低密度な環状縞として投影され、そのため、その低密度な環状縞に観察者は気づきにくい。
【００８４】
なお、図１３に示すように、誘導視野Ａ３においてはフレネルレンズ部２２ｇのライズ面２２ｃは瞳孔ｐ（Ｌ）にほとんど向いていないが、補助視野Ａ４においてはライズ面２２ｃは瞳孔ｐ（Ｌ）に向いている。しかしながら、誘導視野Ａ３に比べて補助視野Ａ４では観察者の情報識別能力が低いため、補助視野Ａ４では環状の稜線Ｒ（Ｌ）および谷線Ｖ（Ｌ）は観察者に目立ちにくい。
【００８５】
このような第２の接眼レンズ２２によれば、ディスプレイ１４の第２の表示領域１４ｃに表示される第２の画像が、観察者の眼球ｅ（Ｌ）の瞳孔ｐ（Ｌ）に拡大投影される。また、フレネルレンズ部２２ｇを少なくとも部分的に有することにより、第２の接眼レンズ２２を軽量化および小型化することができる。例えば、図９Ａに示すように、フレネルレンズ部２２ｇと光学的に等価の凸レンズ部Ｑ２を有する接眼レンズに比べて、軽量化および小型化することができる。
【００８６】
さらに、観察者、すなわち人間の図５および図６に示す視覚特性に基づいて、第１の接眼レンズ１８とディスプレイ１４の第１の表示領域１４ｂとの間の距離と、第２の接眼レンズ２２と第２の表示領域１４ｃとの間の距離が設定されている。このことについて、図１４を参照しながら説明する。
【００８７】
まず、本実施の形態の場合、図１４に示すように、第１の接眼レンズ１８とディスプレイ１４の第１の表示領域１４ｂとの間の距離と第２の接眼レンズ２２と第２の表示領域１４ｃとの間の距離とを比べた場合、後者の方が短い。すなわち、第１の接眼レンズ１８と第２の接眼レンズ２２は、互いに異なり、この距離をとることを可能にする光学特性をそれぞれ有する。これにより、ディスプレイ装置１０のサイズ、特に左右方向のサイズが小型化され、その結果として、ディスプレイ装置１０が軽量化される。
【００８８】
また、図１４に示すように、第１の接眼レンズ１８の光軸Ｃ１は、ディスプレイ１４の第１の表示領域１４ｂにほぼ直交している。第１の接眼レンズ１８と第１の表示領域１４ｂとの間の距離は、第１の表示領域１４ｂに表示された第１の画像が眼球ｅ（Ｌ）の網膜上に結像するために必要である（観察者が鮮明な第１の画像を見るために必要である）距離Ｌ１ｆである。この距離Ｌ１ｆは、第１の接眼レンズ１８と瞳孔ｐ（Ｌ）との間の距離Ｌ１ｂと第１の接眼レンズ１８の光学特性とによって決まる。
【００８９】
一方、第２の接眼レンズ２２の光軸Ｃ２は、ディスプレイ１４の第２の表示領域１４ｃに直交していない。具体的には、第２の表示領域１４ｃが、第１の表示領域１４ｂから遠い部分が近い部分に比べて第２の接眼レンズ２２に接近するように配置されている。その理由について説明する。
【００９０】
図１４において、比較例のディスプレイ１４の第２の表示領域１４ｃ’が二点鎖線で示されている。第２の接眼レンズ２２の光軸Ｃ２は、比較例のディスプレイ１４の表示領域１４ｃ’に直交している。第２の接眼レンズ２２と比較例の第２の表示領域１４ｃ’との間の距離は、比較例の第２の表示領域１４ｃ’に表示された第２の画像が眼球ｅ（Ｌ）の網膜上に結像するために必要な距離Ｌ２ｆである。距離Ｌ２ｆは、第２の接眼レンズ２２と瞳孔ｐ（Ｌ）との間の距離Ｌ２ｂと第２の接眼レンズ２２の光学特性とによって決まる。
【００９１】
本実施の形態の場合、ディスプレイ１４の第２の表示領域１４ｃは、比較例の第２の表示領域１４ｃ’より第２の接眼レンズ２２側に少なくとも一部が存在するように第２の接眼レンズ２２に対して配置されている。すなわち、眼球ｅ（Ｌ）の網膜上に第２の画像が結像するときの位置より第２の接眼レンズ２２側に、第２の表示領域１４ｃの少なくとも一部が存在する。
【００９２】
本実施の形態の場合、ディスプレイ１４の第２の表示領域１４ｃにおいて、第１の表示部１４ｂに近い部分、すなわち前方視状態の眼球ｅ（Ｌ）における誘導視野Ａ３内の第２の接眼レンズ２２の部分に第２の画像の一部を投影する部分１４ｃａは、第２の接眼レンズ２２から距離Ｌ２ｆの位置に概ね存在する。それ以外の部分（第１の表示部１４ｂから遠い部分）、すなわち補助視野Ａ４内の第２の接眼レンズ２２の部分に第２の画像の残りを投影する部分は、距離Ｌ２ｆより第２の接眼レンズ２２側に存在する。
【００９３】
したがって、第１の表示部１４ｂから遠い部分に表示された第２の画像の部分は、補助視野Ａ４内の第２の接眼レンズ２２の部分を介して、不鮮明に眼球ｅ（Ｌ）の網膜上に投影される。しかし、元々、補助視野Ａ４内の対象を観察者（すなわち人間）は明確に識別できないため、問題は生じない。一方、ディスプレイ１４の第２の表示領域１４ｃが第２の接眼レンズ２２に接近することにより、比較例の第２の表示領域１４ｃ’の場合に比べて、ディスプレイ装置１０を、左右方向のサイズについて小型化し、その結果として軽量化することができる。
【００９４】
なお、本実施の形態の場合、図１４に示すように、第２の接眼レンズ２２の一部が、前方視状態の眼球ｅ（Ｌ）における誘導視野Ａ３内に存在する。そのために、ディスプレイ１４の第２の表示領域１４ｃは、部分的に、眼球ｅ（Ｌ）の網膜上に第２の画像が結像するための第２の接眼レンズ２２までの距離Ｌ２ｆより第２の接眼レンズ２２側に存在する。しかし、第２の接眼レンズ２２が補助視野Ａ４内のみに存在する場合（すなわち第１の接眼レンズ１８の観察画角θ１が１００度以上である場合（第１の接眼レンズ１８が弁別視野Ａ１、有効視野Ａ２、および誘導視野Ａ３に存在する場合））、これに限らない。この場合、補助視野Ａ４内のみに存在する第２の接眼レンズ２２に投影される第２の画像を表示する第２の表示領域１４ｃは、その全体が距離Ｌ２ｆより第２の接眼レンズ２２側に存在してもよい。
【００９５】
ここまでは、本実施の形態に係るディスプレイ装置１０の光学系について説明してきた。ここからは、ディスプレイ１４、１６に表示する画像に関する画像処理について説明する。
【００９６】
本実施の形態に係るディスプレイ装置１０は、図１５に示す画像処理ユニット５０を有する。画像処理ユニット５０は、オリジナル画像取得部５２と、表示画像抽出部５４と、画像サイズ補正部５６と、歪曲収差補正部５８と、倍率色収差補正部６０と、色調調整部６２と、表示位置調整部６４と、出力部６６とを有する。
【００９７】
画像処理ユニット５０は、例えば、少なくとも、ＣＰＵ（Ｃｅｎｔｒａｌ  Ｐｒｏｃｅｓｓｉｎｇ  Ｕｎｉｔ）と、メモリと、これらが実装された回路基板とから構成される。メモリには、画像処理用のプログラムや画像が保存される。ＣＰＵとメモリとが、プログラムに基づいて動作することにより、画像処理ユニット５０の構成要素であるオリジナル画像取得部５２〜出力部６６として機能する。その構成要素それぞれについて説明する。
【００９８】
画像処理ユニット５０のオリジナル画像取得部５２は、ディスプレイ装置１０から観察者に呈示される画像の元となるオリジナル画像を外部装置（図示せず）から取得する。例えば、図１６に示すように、３６０度パノラマ画像であるオリジナル画像Ｐｏｒｉを外部装置から取得する。そのために、画像処理ユニット５０は、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して外部装置に接続されている。
【００９９】
画像処理ユニット５０の表示画像抽出部５４は、オリジナル画像取得部５２によって取得されたオリジナル画像Ｐｏｒｉからディスプレイ１４、１６それぞれに表示する第１および第２の画像Ｐ１（Ｌ）、Ｐ２（Ｌ）、Ｐ１（Ｒ）、Ｐ２（Ｒ）を抽出する。すなわち、図１における、左眼用のディスプレイ１４の第１の表示領域１４ｂに表示する左眼用の第１の画像Ｐ１（Ｌ）、第２の表示領域１４ｃに表示する左眼用の第２の画像Ｐ２（Ｌ）、右眼用のディスプレイ１６の第１の表示領域１６ｂに表示する右眼用の第１の画像Ｐ１（Ｒ）、および第２の表示領域１６ｃに表示する右眼用の第２の画像Ｐ２（Ｒ）を抽出する。
【０１００】
具体的には、まず、図１７に示すように３６０度パノラマ画像Ｐｏｒｉにおける２１０度の範囲の領域から、図１８に示すように、左眼用の第１および第２の画像Ｐ１（Ｌ）、Ｐ２（Ｌ）と、右眼用の第１および第２の画像Ｐ１（Ｒ）、Ｐ２（Ｒ）とを抽出する。すなわち、観察者の水平方向の視野全体におよぶ画像を抽出する。
【０１０１】
なお、図１８に示すように、左眼用の第１の画像Ｐ１（Ｌ）と右眼用の第１の画像Ｐ１（Ｒ）は、左眼の正面と右眼の正面に表示される画像であってほぼ同じである。具体的には、左眼用の第１の画像Ｐ１（Ｌ）と右眼用の第１の画像Ｐ１（Ｒ）は、観察者にとって自然に見えるように、視差を考慮した微小なずれ量で左右方向に相互にずれている画像である。
【０１０２】
画像処理ユニット５０の表示画像抽出部５４はまた、第２の接眼レンズ２２、２４を介して観察者が見える第２の画像Ｐ２（Ｌ）、Ｐ２（Ｒ）の水平方向のサイズが第１の接眼レンズ１８、２０を介して観察者が見える第１の画像Ｐ１（Ｌ）、Ｐ１（Ｒ）の水平方向のサイズに比べて小さくなるように、これら４つの画像をオリジナル画像Ｐｏｒｉから抽出する。
【０１０３】
本実施の形態の場合、表示画像抽出部５４は、左眼用および右眼用の第１の画像Ｐ１（Ｌ）、Ｐ１（Ｒ）を約９０度の角度範囲の大きさで、また、左眼用および右眼用の第２の画像Ｐ２（Ｌ）、Ｐ２（Ｒ）を約６０度の角度範囲の大きさで抽出する。第１の画像Ｐ１（Ｌ）、Ｐ１（Ｒ）の角度範囲は第１の接眼レンズ１８、２０の約９０度の観察画角θ１に対応し、第２の画像Ｐ２（Ｌ）、Ｐ２（Ｒ）の角度範囲は第２の接眼レンズ２２、２４の約６０度の観察画角θ２に対応する。
【０１０４】
これにより、左眼用の第１の画像Ｐ１（Ｌ）と左眼用の第２の画像Ｐ２（Ｌ）との間の境界が、情報識別能力が高い視野の中央から外側（左側）に配置される。この結果、第２の画像Ｐ２（Ｌ）の角度範囲が第１の画像Ｐ１（Ｌ）の角度範囲より大きい場合に比べて、上記境界が観察者に視認されにくくなる。同様に、右眼用の第１の画像Ｐ１（Ｒ）と右眼用の第２の画像Ｐ２（Ｒ）との間の境界が、視野の中央から外側（右側）に配置される。この結果、第２の画像Ｐ２（Ｒ）の角度範囲が第１の画像Ｐ１（Ｒ）の角度範囲より大きい場合に比べて、上記境界が観察者に視認されにくくなる。
【０１０５】
画像処理ユニット５０の表示画像抽出部５４はさらに、図１８に示すように、一部分（クロスハッチング部分）が共通するようにオリジナル画像Ｐｏｒｉから左眼用の第１および第２の画像Ｐ１（Ｌ）、Ｐ２（Ｌ）を抽出する。また、画像処理ユニット５０の表示画像抽出部５４は、一部分（クロスハッチング部分）が共通するようにオリジナル画像Ｐｏｒｉから、右眼用の第１および第２の画像Ｐ１（Ｒ）、Ｐ２（Ｒ）を抽出する。その理由について、左眼用の第１および第２の画像Ｐ１（Ｌ）、Ｐ２（Ｌ）を例に挙げて、また図１９Ａ〜図２０Ｃを参照しながら説明する。
【０１０６】
図１９Ａ〜図１９Ｃは、共通する部分がない比較例の左眼用の第１および第２の画像Ｐ１（Ｌ）’、Ｐ２（Ｌ）’を示している。一方、図２０Ａ〜図２０Ｃは、一部分が共通する本実施の形態の左眼用の第１および第２の画像Ｐ１（Ｌ）、Ｐ２（Ｌ）を示している。
【０１０７】
図１９Ａは、第１および第２の画像Ｐ１（Ｌ）’、Ｐ２（Ｌ）’と、第１の接眼レンズ１８および第２の接眼レンズ２２と、眼球ｅ（Ｌ）との位置関係を示している。観察者が前方を見ているとき（実線）、図１９Ｂに示すように、観察者には、第１の画像Ｐ１（Ｌ）’と第２の画像Ｐ２（Ｌ）’とが連続して見える。
【０１０８】
観察者が斜め前方に視線を向けると（二点鎖線）、図１９Ｃに示すように、観察者には、第１の画像Ｐ１（Ｌ）’と第２の画像Ｐ２（Ｌ）’とが離れて見えるともに、第１の画像Ｐ１（Ｌ）’の第２の画像Ｐ２（Ｌ）’側の部分が欠けて見える。
【０１０９】
これは、図１９Ａに示すように、観察者の視線方向が斜め前方（二点鎖線）に変わると、第１の接眼レンズ１８および第２の接眼レンズ２２を介して観察者が見えるディスプレイ１４の表示画面１４ａ上の領域が変わることによって生じる。したがって、前方視の場合には第１および第２の画像Ｐ１（Ｌ）’、Ｐ２（Ｌ）’は連続して見えるが、斜め前方視の場合にはこれらの画像が不連続に見えるという現象が生じる。
【０１１０】
このように観察者の視線方向が変わると第１の接眼レンズ１８および第２の接眼レンズ２２を介してこの観察者が見えるディスプレイ１４の表示画面１４ａ上の領域が変わることを考慮し、図２０Ａに示すように、本実施の形態の第１および第２の画像Ｐ１（Ｌ）、Ｐ２（Ｌ）は共通する部分（クロスハッチング部分）を含んでいる。第１の画像Ｐ１（Ｌ）は第２の画像Ｐ２（Ｌ）側に共通部分を含み、第２の画像Ｐ２（Ｌ）は第１の画像Ｐ１（Ｌ）側に共通部分を含んでいる。
【０１１１】
観察者が前方を見ているとき（実線）、図２０Ｂに示すように、観察者には、共通部分を含む第１の画像Ｐ１（Ｌ）と共通部分が欠けた第２の画像Ｐ２（Ｌ）とが連続した状態で見える。
【０１１２】
一方、観察者が斜め前方を見ているとき（二点鎖線）、図２０Ｃ示すように、観察者には、共通部分が欠けた第１の画像Ｐ１（Ｌ）と共通部分を含む第２の画像Ｐ２（Ｌ）とが連続した状態で見える。
【０１１３】
したがって、第１の画像Ｐ１（Ｌ）と第２の画像Ｐ２（Ｌ）とが共通部分（クロスハッチング部分）を含むことにより、視線の方向が変化しても、観察者には第１の画像Ｐ１（Ｌ）と第２の画像Ｐ２（Ｌ）とが連続して見える。
【０１１４】
図１５に戻って説明を続ける。画像処理ユニット５０の画像サイズ補正部５６は、第１の画像Ｐ１（Ｌ）、Ｐ１（Ｒ）に比べて第２の画像Ｐ２（Ｌ）、Ｐ２（Ｒ）が小さくなるように、これらの画像を補正する。
【０１１５】
図１に示すように、左眼用の光学系においては、ディスプレイ１４の第１の表示領域１４ｂと第１の接眼レンズ１８との間の距離に比べて、第２の表示領域１４ｃと第２の接眼レンズ２２との間の距離は短い。そのため、第１の表示領域１４ｂに表示される第１の画像Ｐ１（Ｌ）と第２の表示領域１４ｃに表示される第２の画像Ｐ２（Ｌ）とが同一のサイズである場合、第２の画像Ｐ２（Ｌ）が第１の画像Ｐ１（Ｌ）に比べて大きく拡大されて観察者の眼球ｅ（Ｌ）の網膜上に投影される。同様に、右眼の光学系においても、第２の画像Ｐ２（Ｒ）が第１の画像Ｐ１（Ｒ）に比べて大きく拡大されて観察者の眼球ｅ（Ｒ）の網膜上に投影される。
【０１１６】
そこで、眼球ｅ（Ｌ）、ｅ（Ｒ）の網膜上でのサイズが同一になるように、画像サイズ補正部５６は、図２１に示すように、第１の画像Ｐ１（Ｌ）、Ｐ１（Ｒ）に比べて第２の画像Ｐ２（Ｌ）、Ｐ２（Ｒ）が小さくなるように、これらの画像のサイズを補正する。例えば、第２の画像Ｐ２（Ｌ）、Ｐ２（Ｒ）を縮小する、または第１の画像Ｐ１（Ｌ）、Ｐ１（Ｒ）を拡大する。画像の縮小倍率または拡大倍率は、第１の接眼レンズ１８、２０および第２の接眼レンズ２２、２４の光学特性によって決まる。これにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で違和感なく見ることができる。
【０１１７】
図１５に戻って説明を続ける。画像処理ユニット５０の歪曲収差補正部５８および倍率色収差補正部６０は、第１の接眼レンズ１８、２０および第２の接眼レンズ２２、２４の収差特性に基づいて、第１および第２の画像Ｐ１（Ｌ）、Ｐ１（Ｒ）、Ｐ２（Ｌ）、Ｐ２（Ｒ）を補正する。
【０１１８】
レンズによって生じる収差は、単色光によっても生じる収差である歪曲収差と、光の波長の違いによって生じる倍率色収差とに大別される。このレンズによって生じる歪曲収差と倍率色収差を相殺（キャンセル）するように、歪曲収差補正部５８および倍率色収差補正部６０は、第１および第２の画像Ｐ１（Ｌ）、Ｐ１（Ｒ）、Ｐ２（Ｌ）、Ｐ２（Ｒ）を補正する。すなわち、収差が生じない理想的なレンズが使用されたときとほぼ同等の第１および第２の画像Ｐ１（Ｌ）、Ｐ１（Ｒ）、Ｐ２（Ｌ）、Ｐ２（Ｒ）が眼球ｅ（Ｌ）、ｅ（Ｒ）の網膜上に第１の接眼レンズ１８、２０および第２の接眼レンズ２２、２４を介して投影されるように、これらの画像を補正する。
【０１１９】
例えば、第１の接眼レンズ１８、２０および第２の接眼レンズ２２、２４により、図２１に示すように長方形状の第１および第２の画像Ｐ１（Ｌ）、Ｐ１（Ｒ）、Ｐ２（Ｌ）、Ｐ２（Ｒ）が、糸巻形状に変形して眼球ｅ（Ｌ）、ｅ（Ｒ）の網膜上に投影される歪曲収差が起こる場合を考える。
【０１２０】
この場合、歪曲収差補正部５８は、図２２に示すように、第１および第２の画像Ｐ１（Ｌ）、Ｐ１（Ｒ）、Ｐ２（Ｌ）、Ｐ２（Ｒ）を樽形状に補正する。これにより、樽形状のこれらの第１および第２の画像は、第１の接眼レンズ１８、２０および第２の接眼レンズ２２、２４によって長方形状に変形して眼球ｅ（Ｌ）、ｅ（Ｒ）の網膜上に投影される。すなわち、画像を糸巻形状に変形させる歪曲収差が相殺（キャンセル）される。
【０１２１】
倍率色収差補正部６０は、倍率色収差補正として、第１および第２の画像Ｐ１（Ｌ）、Ｐ１（Ｒ）、Ｐ２（Ｌ）、Ｐ２（Ｒ）の各画素のＲＧＢ値を補正する。具体的には、第１の接眼レンズ１８、２０および第２の接眼レンズ２２、２４によって色収差が起こった後の第１および第２の画像Ｐ１（Ｌ）、Ｐ１（Ｒ）、Ｐ２（Ｌ）、Ｐ２（Ｒ）上の各画素のＲＧＢ値が倍率収差補正前のこれらの画像（例えば表示画像抽出部５４によって抽出された直後の画像）の各画素のＲＧＢ値とほぼ一致するように、これらの画像に対して倍率色収差補正を行う。例えば、倍率色収差補正では、緑色（Ｇ）の倍率を基準として赤色（Ｒ）と青色（Ｂ）の倍率が調整される。
【０１２２】
これらの歪曲収差補正部５８と倍率色収差補正部６０とにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で違和感なく見ることができる。
【０１２３】
画像処理ユニット５０の色調調整部６２は、ディスプレイ１４、１６の視野角特性に基づいて、第１および第２の画像Ｐ１（Ｌ）、Ｐ１（Ｒ）、Ｐ２（Ｌ）、Ｐ２（Ｒ）の色調、例えば輝度や色合いなどを調整する。
【０１２４】
本実施の形態の場合、ディスプレイ１４、１６は、液晶ディスプレイで構成されている。また、図１における、ディスプレイ１４、１６の第１の表示領域１４ｂ、１６ｂ上の第１の画像Ｐ１（Ｌ）、Ｐ１（Ｒ）は観察者によって略９０度の視野角で視認されるが、第２の表示領域１４ｃ、１６ｃ上の第２の画像Ｐ２（Ｌ）、Ｐ２（Ｒ）は９０度と異なる視野角で視認される。
【０１２５】
その結果、第１の画像Ｐ１（Ｌ）、Ｐ１（Ｒ）と第２の画像Ｐ２（Ｌ）、Ｐ２（Ｒ）が異なる色調で眼球ｅ（Ｌ）、ｅ（Ｒ）の網膜上に投影され、それにより観察者が色調の違いによって違和感を持つ可能性がある。
【０１２６】
その対処として、色調調整部６２は、第１および第２の画像Ｐ１（Ｌ）、Ｐ１（Ｒ）、Ｐ２（Ｌ）、Ｐ２（Ｒ）が略同一の色調で観察者の眼球ｅ（Ｌ）、ｅ（Ｒ）の網膜上に投影されるように、これらの画像の色調を調整する。
【０１２７】
なお、ディスプレイ１４、１６がどのような視野角でも同一の色調に見えるＯＬＥＤディスプレイである場合には、色調調整部６２を省略することができる。
【０１２８】
また、色調調整部６２に代わって第１および第２の画像Ｐ１（Ｌ）、Ｐ１（Ｒ）、Ｐ２（Ｌ）、Ｐ２（Ｒ）の色調を調整することができるフィルム、コーティング層、またはフィルタを、第１の接眼レンズ１８、２０および第２の接眼レンズ２２、２４が有してもよい。
【０１２９】
画像処理ユニット５０の表示位置調整部６４は、第１および第２の画像Ｐ１（Ｌ）、Ｐ１（Ｒ）、Ｐ２（Ｌ）、Ｐ２（Ｒ）のディスプレイ１４、１６の表示画面１４ａ、１６ａ上の表示位置を調整する。すなわち、これらの画像を連続して観察者が見えるように表示位置を調整する。
【０１３０】
画像処理ユニット５０の出力部６６は、サイズや収差が補正され、色調や表示位置が調整された第１および第２の画像Ｐ１（Ｌ）とＰ２（Ｌ）をディスプレイ１４に、Ｐ１（Ｒ）とＰ２（Ｒ）をディスプレイ１６に出力する。
【０１３１】
以上のような画像処理ユニット５０による画像処理を行うことにより、観察者は、第２の画像Ｐ２（Ｌ）、第１の画像Ｐ１（Ｌ）、第１の画像Ｐ１（Ｒ）、第２の画像Ｐ２（Ｒ）を連続した状態で、すなわち図２３に示すような水平方向の視野全体におよぶ画像を、違和感なく見ることができる。
【０１３２】
なお、画像処理ユニット５０は、ディスプレイ装置１０の本体部１２内に設けられてもよいし、本体部１２の外部に設けられてもよい。本体部１２の外部に画像処理ユニット５０が設けられる場合、ディスプレイ装置１０と画像処理ユニット５０は有線または無線の通信路を介して接続される。画像処理ユニット５０を外部に設ける場合、ディスプレイ装置１０が軽量化され（内部に設ける場合に比べて）、ディスプレイ装置１０の使用感が向上する。
【０１３３】
以上のような本実施の形態によれば、頭部装着型ディスプレイ装置において、さらなる臨場感を観察者に提供することができる。すなわち、１つのみの接眼レンズを使用する場合に比べて、広視野の画像を観察者に呈示することができる。
【０１３４】
なお、本開示の実施の形態は、上述した実施の形態に限らない。
【０１３５】
上述の実施の形態の場合、図８Ａに示すように、第１の接眼レンズ１８は、ディスプレイ側レンズ面１８ａに、部分的にフレネルレンズ部１８ｄを有している。また、第２の接眼レンズ２２は、ディスプレイ側レンズ面２２ａ全体に、フレネルレンズ部を有する。さらに、図２に示すように、第１の接眼レンズ１８の光軸Ｃ１と第２の接眼レンズ２２の光軸Ｃ２は、約６０度の角度で交差している。さらにまた、図１４に示すように、第２の接眼レンズ２２の光軸Ｃ２と第２の表示領域１４ｃは直交していない。しかしながら、本開示の実施の形態は、これらに限定されない。
【０１３６】
例えば、第１の接眼レンズ１８のディスプレイ側レンズ面１８ａは、その全体がフレネルレンズ部であってもよいし、その全体が凸レンズ部（フレネルレンズ部がない）であってもよい。また例えば、第２の接眼レンズ２２は、ディスプレイ側レンズ面２２ａの一部にのみフレネルレンズ部があってもよい。さらに、第２の表示領域１４ｃは、第２の接眼レンズ２２の光軸Ｃ２に対して直交してもよい。さらにまた、第１の接眼レンズ１８の光軸Ｃ１と第２の接眼レンズ２２の光軸Ｃ２は、約６０度以外の角度で交差してもよい。ただし、この場合、第１の接眼レンズ１８や第２の接眼レンズ２２の具体的な形状や光学特性は異なる。
【０１３７】
例えば、図２４〜図２６は、それぞれ実施例１〜３に係る第１の接眼レンズ１８と第２の接眼レンズ２２を示している。
【０１３８】
図２４〜図２６に示す第１の接眼レンズ１８のディスプレイ側レンズ面１８ａは、曲率が異なる凸レンズ面である。また、第１の接眼レンズ１８の光軸Ｃ１と第２の接眼レンズ２２の光軸Ｃ２との間の角度は、実施例１の場合は７５度であって、実施例２は４５度であって、実施例３は７８度である。
【０１３９】
このように異なる実施例１〜３の場合、第１の接眼レンズ１８と第２の接眼レンズ２２の光学特性や光学系は、以下の表１に示すように異なる。
【０１４０】
【表１】
0006748855.tif 000002
【０１４１】
なお、表１において、「半画角」は観察画角の半分であって、「アイレリーフ」は観察者側レンズ面から観察者の瞳孔までの光軸上の距離である。
【０１４２】
このように、本開示の実施の形態は、第１の接眼レンズや第２の接眼レンズの光学特性や光学系を１つに限定しない。すなわち、広義には、本開示の観察者の頭部に装着して使用される。この頭部装着型ディスプレイ装置は、第１の表示部と、第２の表示部と、第１の接眼レンズと、第２の接眼レンズとを有する。第１の表示部は、観察者が前方視する瞳孔に対面し、観察者の瞳孔に対して前方の位置に配置され、第１の画像を表示する。第２の表示部は、観察者が前方視する瞳孔に対面し、観察者の瞳孔に対して観察者の耳側斜め前方の位置に配置され、第２の画像を表示する。第１の接眼レンズは、観察者の瞳孔と第１の表示部との間の位置に配置されて、第１の画像を観察者の瞳孔に投影する。第１の接眼レンズは、第１の表示部側レンズ面と第１の観察者側レンズ面とを有する。第２の接眼レンズは、観察者の瞳孔と第２の表示部との間の位置に配置されて、第２の画像を観察者の瞳孔に投影する。第２の接眼レンズは、第２の表示部側レンズ面と第２の観察者側レンズ面とを有する。また第２の接眼レンズは、第１の接眼レンズよりも観察者の耳に近い位置で第１の接眼レンズに隣接配置されている。第１の接眼レンズの光軸は、第２の接眼レンズの光軸と、３０度以上、８０度以下の範囲の角度で交差している。
【０１４３】
なお、補足すると、第１の接眼レンズの光軸と第２の接眼レンズの光軸が３０度より小さい場合、観察者の視野全体におよぶ広視野の画像をこの観察者に呈示しようとすると第２の接眼レンズが大型化し、その結果として頭部装着型ディスプレイ装置が左右の方向に大型化するので好ましくない。
【０１４４】
また、上述の実施の形態の場合、第１の接眼レンズ１８と第２の接眼レンズ２２は、別体であって、互いに隣接することによってレンズアレイ２６を構成している。これに代わって、第１の接眼レンズと第２の接眼レンズを一体化して１つのパーツ（レンズアレイ）としてもよい。
【０１４５】
（第２の実施の形態）
図２７は、第２の実施の形態に係る頭部装着型ディスプレイ装置におけるレンズアレイを概略的に示している。
【０１４６】
レンズアレイ２２６は、第１の接眼レンズ部２１８と第２の接眼レンズ部２２２を有する。第１の接眼レンズ部２１８と第２の接眼レンズ部２２２は、上述のそれぞれ第１の実施の形態の第１の接眼レンズ１８と第２の接眼レンズ２２と実質的に同一の光学特性を有する。
【０１４７】
レンズアレイ２２６は、例えば成型（金型）で樹脂材料から作製される。レンズアレイ２２６はまた、第１の接眼レンズ部２１８と第２の接眼レンズ部２２２との間に、光を透過しない光遮断部材２３８が設けられている。具体的には、レンズアレイ２２６内における光線Ｌ２と光線Ｌ３との間に、光遮断部材２３８は配置されている。なお、光線Ｌ２は、第１の表示領域１４ｂから出射し、第１の接眼レンズ部２１８のディスプレイ側レンズ面２１８ａにおける第２の接眼レンズ部２２２側端で入射し、観察者側レンズ面２１８ｂから観察者の瞳孔ｐ（Ｌ）に向かって出射する光線である。また、光線Ｌ３は、第２の表示領域１４ｃから出射し、第２の接眼レンズ部２２２のディスプレイ側レンズ面２２２ａにおける第１の接眼レンズ部２１８側端で入射し、観察者側レンズ面２２２ｂから瞳孔ｐ（Ｌ）に向かって出射する光線である。
【０１４８】
また、上述の第１の実施の形態の場合、ディスプレイ１４は曲面ディスプレイであるが、本開示の実施の形態はこれに限らない。
【０１４９】
（第３の実施の形態）
図２８は、第３の実施の形態に係る頭部装着型ディスプレイ装置を示している。第１の実施の形態や第２の実施の形態は、観察者の左眼側に第２の接眼レンズ部２２２を配置しているが、遠視または近視の観察者が常用眼鏡を装着したい場合に第２の接眼レンズ部２２２と干渉する懸念がある。よって、第３の実施の形態では、遠視または近視の観察者が常用眼鏡を装着しなくても、表示部１４ｂと第１の接眼レンズ部２１８との間の距離と、表示部１４ｃと第２の接眼レンズ部２２２との間の距離を伸縮できるようにすることによって、表示部１４ｂ、１４ｃに表示されている画像を遠視または近視の観察者が鮮明に観察できるようにしている。なお、図２９、図３０は第３の実施の形態の別の形態である。
【０１５０】
図２８は、表示部１４ｂが第１の接眼レンズ部２１８の光軸方向に移動可能になっている。また、表示部１４ｃが第２の接眼レンズ部２２２の光軸方向に移動可能になっている。
【０１５１】
観察者が遠視の場合は、表示部１４ｂを位置１４１ｂの方向に移動させると共に、表示部１４ｃを位置１４１ｃの方向に移動する。
【０１５２】
反対に、観察者が近視の場合は、表示部１４ｂを位置１４２ｂの方向に移動させると共に、表示部１４ｃを位置１４２ｃの方向に移動する。
【０１５３】
なお、図２８では、表示部１４ｂ、１４ｃを移動させているが、接眼レンズ部２１８、２２２を移動させてもよい。
【０１５４】
また、より厳密には、表示部１４ｂと第１の接眼レンズ部２１８との間の距離と、表示部１４ｃと第２の接眼レンズ部２２２の間の距離が離れるほど、観察者が観察する表示部１４ｂ、１４ｃに表示されている画像が遠くなって小さくなるため、表示部１４ｂ、１４ｃに表示されている画像を拡大させた方が好ましい。
【０１５５】
反対に、より厳密には、表示部１４ｂと第１の接眼レンズ部２１８との間の距離と、表示部１４ｃと第２の接眼レンズ部２２２の間の距離を縮めるほど、観察者が観察する表示部１４ｂ、１４ｃに表示されている画像が近くなって大きくなるため、表示部１４ｂ、１４ｃに表示されている画像を縮小させた方が好ましい。
【０１５６】
図２９は、第３の実施の形態の別の形態であり、図２８は表示部１４ｃが可動する方向が第２の接眼レンズ部２２２の光軸方向になっているが、図２９は第１の接眼レンズ部２１８の光軸方向になっている。よって、表示部１４ｂと表示部１４ｃを連結部１５により機械的に連結することによって、表示部１４ｂと第１の接眼レンズ部２１８との間の距離と、表示部１４ｃと第２の接眼レンズ部２２２との間の距離を簡単に連動して移動することができる。また、図２８のように表示部１４ｃが左右に移動しないため、筐体サイズの横幅を小型化することができる。
【０１５７】
観察者が遠視の場合は、表示部１４ｂを位置１４１ｂの方向に移動させると共に、表示部１４ｃを位置１４３ｃの方向に移動する。
【０１５８】
反対に、観察者が近視の場合は、表示部１４ｂを位置１４２ｂの方向に移動させると共に、表示部１４ｃを位置１４４ｃの方向に移動する。
【０１５９】
なお、図２９では、表示部１４ｂ、１４ｃを移動させているが、接眼レンズ部２１８、２２２を移動させてもよい。
【０１６０】
なお、図２９は遠視または近視の観察者に対応させる場合に、表示部１４ｃが第２の接眼レンズ部２２２の光軸から水平方向に移動する。よって、表示部１４ｃの移動量を検出するセンサを有し、表示部１４ｃを移動しても、表示部１４ｃに表示されている画像の位置が移動しないように相殺する。
【０１６１】
また、より厳密には、表示部１４ｂと第１の接眼レンズ部２１８との間の距離と、表示部１４ｃと第２の接眼レンズ部２２２の間の距離が離れるほど、観察者が観察する表示部１４ｂ、１４ｃに表示されている画像が遠くなって小さくなるため、表示部１４ｂ、１４ｃに表示されている画像を拡大させた方が好ましい。
【０１６２】
反対に、より厳密には、表示部１４ｂと第１の接眼レンズ部２１８との間の距離と、表示部１４ｃと第２の接眼レンズ部２２２の間の距離を縮めるほど、観察者が観察する表示部１４ｂ、１４ｃに表示されている画像が近くなって大きくなるため、表示部１４ｂ、１４ｃに表示されている画像を縮小させた方が好ましい。
【０１６３】
図３０は、第３の実施の形態のさらに別の形態であり、表示部１４ｃの配置角度を変更できるようにしている。人間の視野は、外側の観察画角になるほど解像度が落ちて、観察する画像に鮮明さが要求されなくなる。このため、人間の視野の外側の観察画角になるほど、表示部１４ｃの移動量を少なく抑え、筐体サイズの横幅の増加を抑えることができる。
【０１６４】
観察者が遠視の場合は、表示部１４ｂを位置１４１ｂの方向に移動させると共に、表示部１４ｃを位置１４５ｃの方向に移動する。
【０１６５】
反対に、観察者が近視の場合は、表示部１４ｂを位置１４２ｂの方向に移動させると共に、表示部１４ｃを位置１４６ｃの方向に移動する。
【０１６６】
なお、図３０では、表示部１４ｂ、１４ｃを移動させているが、接眼レンズ部２１８、２２２を移動させてもよい。
【０１６７】
なお、図３０は遠視または近視の観察者に対応させる場合に、表示部１４ｃが第２の接眼レンズ部２２２の光軸から水平方向に移動する。よって、表示部１４ｃの移動量を検出するセンサを有し、表示部１４ｃを移動しても、表示部１４ｃに表示されている画像の位置が移動しないように相殺する。
【０１６８】
また、より厳密には、表示部１４ｂと第１の接眼レンズ部２１８との間の距離と、表示部１４ｃと第２の接眼レンズ部２２２の間の距離が離れるほど、観察者が観察する表示部１４ｂ、１４ｃに表示されている画像が遠くなって小さくなるため、表示部１４ｂ、１４ｃに表示されている画像を拡大させた方が好ましい。
【０１６９】
反対に、より厳密には、表示部１４ｂと第１の接眼レンズ部２１８との間の距離と、表示部１４ｃと第２の接眼レンズ部２２２の間の距離を縮めるほど、観察者が観察する表示部１４ｂ、１４ｃに表示されている画像が近くなって大きくなるため、表示部１４ｂ、１４ｃに表示されている画像を縮小させた方が好ましい。
【０１７０】
（第４の実施の形態）
図３１は、第４の実施の形態に係る頭部装着型ディスプレイ装置を示している。なお、ディスプレイを除く他の構成要素は、図１に示す実施の形態の構成要素と実質的に同一であるため、同一の符号が付されている。
【０１７１】
本実施の形態に係る頭部装着型ディスプレイ装置３１０は、３つの平板状のディスプレイ３１４、３１５、３１６を有する。
【０１７２】
ディスプレイ３１４は、前方視状態の眼球ｅ（Ｌ）、ｅ（Ｒ）の瞳孔ｐ（Ｌ）、ｐ（Ｒ）に向きつつ、それらの瞳孔ｐ（Ｌ）、ｐ（Ｒ）の前方に配置されている。ディスプレイ３１４はまた、左眼用の第１の接眼レンズ１８に投影する左眼用の第１の画像を表示する左眼用の表示領域３１４ａと、右眼用の第１の接眼レンズ２０に投影する右眼用の第１の画像を表示する右眼用の表示領域３１４ｂとをその表示画面に有する。
【０１７３】
ディスプレイ３１５は、前方視状態の左眼の眼球ｅ（Ｌ）の瞳孔ｐ（Ｌ）に向きつつ、瞳孔ｐ（Ｌ）の外側斜め前方に配置されている。ディスプレイ３１５はまた、左眼用の第２の接眼レンズ２２に投影する左眼用の第２の画像を表示する表示領域３１５ａをその表示画面に有する。
【０１７４】
ディスプレイ３１６は、前方視状態の右眼の眼球ｅ（Ｒ）の瞳孔ｐ（Ｒ）に向きつつ、瞳孔ｐ（Ｒ）の外側斜め前方に配置されている。ディスプレイ３１６はまた、右眼用の第２の接眼レンズ２４に投影する右眼用の第２の画像を表示する表示領域３１６ａをその表示画面に有する。
【０１７５】
ディスプレイ３１４、３１５、３１６の各々は、平板状であるために製造が容易であり、そのため製造コストが低価である。
【０１７６】
以上のように、本開示の一態様による頭部装着型ディスプレイ装置は、観察者の頭部に装着して使用される。この頭部装着型ディスプレイ装置は、第１の表示部と、第２の表示部と、第１の接眼レンズと、第２の接眼レンズとを有する。第１の表示部は、観察者が前方視する瞳孔に対面し、観察者の瞳孔に対して前方の位置に配置され、第１の画像を表示する。第２の表示部は、観察者が前方視する瞳孔に対面し、観察者の瞳孔に対して観察者の耳側斜め前方の位置に配置され、第２の画像を表示する。第１の接眼レンズは、観察者の瞳孔と第１の表示部との間の位置に配置されて、第１の画像を観察者の瞳孔に投影する。第１の接眼レンズは、第１の表示部側レンズ面と第１の観察者側レンズ面とを有する。第２の接眼レンズは、観察者の瞳孔と第２の表示部との間の位置に配置されて、第２の画像を観察者の瞳孔に投影する。第２の接眼レンズは、第２の表示部側レンズ面と第２の観察者側レンズ面とを有する。また第２の接眼レンズは、第１の接眼レンズよりも観察者の耳に近い位置で第１の接眼レンズに隣接配置されている。第１の接眼レンズの光軸は、第２の接眼レンズの光軸と、３０度以上、８０度以下の範囲の角度で交差している。
【０１７７】
このような構成によれば、頭部装着型ディスプレイ装置において、さらなる臨場感を観察者に提供することができる。すなわち、１つのみの接眼レンズを使用する場合に比べて、広視野の画像を観察者に呈示することができる。
【０１７８】
例えば、第１の接眼レンズと第２の接眼レンズが、それぞれの光軸が観察者の瞳孔で交差するように配置されてもよい。
【０１７９】
例えば、第１の接眼レンズが、その光軸が観察者の前方視する瞳孔の視線方向に延在する直線に対して平行になるように配置されてもよい。
【０１８０】
例えば、第２の接眼レンズの光軸は、第２の接眼レンズの輪郭形状の中心からずれていてもよい。これにより、観察者が違和感なく第２の画像を見ることができる収差が小さい光軸近傍の第２の接眼レンズの部分を、観察者の視野中央側に配置することができる。
【０１８１】
例えば、第１の接眼レンズの観察画角に対する第２の接眼レンズの観察画角の比が、０．９５より小さくてもよい。これにより、情報識別能力が高い観察者の視野中央に第１の画像と第２の画像との間の境界が存在することが抑制される。
【０１８２】
例えば、第１の観察者側レンズ面の近軸曲率半径Ｒおよび後側焦点距離ｆが、不等式０＜Ｒ／ｆ＜３．０を満足してもよい。これにより、第１の接眼レンズに径方向サイズを大きくすることなく、その観察画角を拡大することができる。
【０１８３】
例えば、第１の接眼レンズの観察画角が６０度以上、１２０度以下の範囲であってもよい。これにより、情報識別能力が高い視野の中央領域に第１の接眼レンズのみが配置される。その結果、観察者は第１の接眼レンズのみを介して画像を鮮明に見ることができる。
【０１８４】
例えば、第１の観察者側レンズ面と観察者の瞳孔との間の距離が、第２の観察者側レンズ面と観察者の瞳孔との間の距離に比べて短くてもよい。これにより、第２の接眼レンズの観察画角に対して、第１の接眼レンズの観察画角を、その径方向サイズを大きくすることなく、拡大することができる。
【０１８５】
例えば、第１の観察者側レンズ面および第２の観察者側レンズ面それぞれの輪郭形状が、第１の観察者側レンズ面および第２の観察者側レンズ面が観察者の上下方向の視野全体または視野の中央部において水平方向に連続するように、互いに接し合う接合形状部分を有してもよい。これにより、視線を上下方向に移動させても、観察者は、第１の接眼レンズを透過した第１の画像と第２の接眼レンズを透過した第２の画像とを、水平方向に連続した状態で見ることができる。
【０１８６】
例えば、頭部装着型ディスプレイ装置が、第１の接眼レンズと第２の接眼レンズとが一体化されたレンズアレイを有してもよい。ここで、第１の表示部は、第１の接眼レンズの表示部側レンズ面における第２の接眼レンズの接眼レンズに隣接する端部に入射し、第１の接眼レンズの観察者側レンズ面から観察者の瞳孔に向かって出射する第１の光線を出射する。一方、第２の表示部は、第２の接眼レンズの表示部側レンズ面における前記第１の接眼レンズに隣接する端部に入射し、第２の接眼レンズの観察者側レンズ面から観察者の瞳孔に向かって出射する第２の光線を出射する。レンズアレイ内における第１の光線と第２の光線との間に、光遮断部材が配置されてもよい。
【０１８７】
例えば、第１の接眼レンズの表示部側レンズ面が、少なくとも部分的にフレネルレンズ部を有してもよい。これにより、第１の接眼レンズを薄型化、すなわち小型化および軽量化することができる。その結果、頭部装着型ディスプレイ装置を小型化および軽量化することができる。
【０１８８】
例えば、第２の接眼レンズの表示部側レンズ面が、少なくとも部分的にフレネルレンズ部を有してもよい。これにより、第２の接眼レンズを薄型化、すなわち小型化および軽量化することができる。その結果、頭部装着型ディスプレイ装置を小型化および軽量化することができる。
【０１８９】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１９０】
また、前述の実施形態は、本開示における技術を例示するためのものであるから、請求の範囲又はその均等の範囲において種々の変更、置き換え、付加、省略等を行うことができる。
【産業上の利用可能性】
【０１９１】
本開示は、頭部に装着して使用される頭装着型ディスプレイ装置であれば適用可能である。
【符号の説明】
【０１９２】
１０，３１０    頭部装着型ディスプレイ装置（ディスプレイ装置）
１２    本体部
１４，１６，３１４，３１５，３１６    ディスプレイ
１４ａ，１６ａ    表示画面
１４ｂ，１６ｂ    第１の表示部（第１の表示領域）
１４ｃ，１６ｃ    第２の表示部（第２の表示領域）
１４ｃａ    部分
１５    連結部
１８，２０    第１の接眼レンズ
１８ａ，２０ａ，２２ａ，２４ａ，２１８ａ，２２２ａ    ディスプレイ側レンズ面
１８ｂ，２０ｂ，２２ｂ，２４ｂ，２１８ｂ，２２２ｂ    観察者側レンズ面
１８ｃ    凸レンズ部
１８ｄ，２２ｇ    フレネルレンズ部
１８ｅ，２２ｄ    上側切断面
１８ｆ，２２ｅ    下側切断面
１８ｇ    左側切断面
１８ｈ，２２ｆ    右側切断面
２２，２４    第２の接眼レンズ
２２ｃ    ライズ面
２６，２８，２２６    レンズアレイ
３０    ノーズパッド
３２，３４    イヤーパッド
３６    光遮蔽板
５０    画像処理ユニット
５２    オリジナル画像取得部
５４    表示画像抽出部
５６    画像サイズ補正部
５８    歪曲収差補正部
６０    倍率色収差補正部
６２    色調調整部
６４    表示位置調整部
６６    出力部
１４１ｂ，１４２ｂ，１４１ｃ，１４２ｃ，１４３ｃ，１４４ｃ，１４５ｃ，１４６ｃ    位置
２１８    第１の接眼レンズ部
２２２    第２の接眼レンズ部
２３８    光遮断部材
３１４ａ，３１４ｂ，３１５ａ，３１６ａ    表示領域
Ｃ１    光軸
Ｃ２    光軸
ｐ（Ｌ）    瞳孔
【図１】
0006748855.tif 000003
【図２】
0006748855.tif 000004
【図３】
0006748855.tif 000005
【図４】
0006748855.tif 000006
【図５】
0006748855.tif 000007
【図６】
0006748855.tif 000008
【図７】
0006748855.tif 000009
【図８Ａ】
0006748855.tif 000010
【図８Ｂ】
0006748855.tif 000011
【図９Ａ】
0006748855.tif 000012
【図９Ｂ】
0006748855.tif 000013
【図１０】
0006748855.tif 000014
【図１１】
0006748855.tif 000015
【図１２】
0006748855.tif 000016
【図１３】
0006748855.tif 000017
【図１４】
0006748855.tif 000018
【図１５】
0006748855.tif 000019
【図１６】
0006748855.tif 000020
【図１７】
0006748855.tif 000021
【図１８】
0006748855.tif 000022
【図１９Ａ】
0006748855.tif 000023
【図１９Ｂ】
0006748855.tif 000024
【図１９Ｃ】
0006748855.tif 000025
【図２０Ａ】
0006748855.tif 000026
【図２０Ｂ】
0006748855.tif 000027
【図２０Ｃ】
0006748855.tif 000028
【図２１】
0006748855.tif 000029
【図２２】
0006748855.tif 000030
【図２３】
0006748855.tif 000031
【図２４】
0006748855.tif 000032
【図２５】
0006748855.tif 000033
【図２６】
0006748855.tif 000034
【図２７】
0006748855.tif 000035
【図２８】
0006748855.tif 000036
【図２９】
0006748855.tif 000037
【図３０】
0006748855.tif 000038
【図３１】
0006748855.tif 000039